(57)【要約】【課題】ＢＯＤ/Ｎ比の変動に対応して有機性排水のＢＯＤを容易に調整可能な有機性排水処理設備の運転方法を提供する。【解決手段】固形分を含む有機性排水を、ろ過部材５を備えたろ過手段に通した後に活性汚泥と混合して生物処理する有機性排水の処理方法であって、前記ろ過手段Ｆは、有機性排水を通水する前記ろ過部材のろ過面積が調整可能に構成され、前記ろ過手段Ｆを通過前または通過後の有機性排水中の窒素濃度に対する有機物濃度の比の値に応じて、前記ろ過層Ｆのうち有機性排水を通水する前記ろ過部材のろ過面積を調節してろ過する。【選択図】図１
2017113723.tif 000002
【特許請求の範囲】
【請求項１】
固形分を含む有機性排水を、ろ過部材を備えたろ過手段に通した後に活性汚泥と混合して生物処理する有機性排水の処理方法であって、
前記ろ過手段は、有機性排水を通水する前記ろ過部材のろ過面積が調整可能に構成され、
前記ろ過手段を通過前または通過後の有機性排水中の窒素濃度に対する有機物濃度の比の値に応じて、前記ろ過手段のうち有機性排水を通水する前記ろ過部材のろ過面積を調節してろ過することを特徴とする有機性排水の処理方法。
【請求項２】
前記窒素濃度に対する有機物濃度の比の値が小さくなるほど、前記ろ過手段のうち有機性排水を通水する前記ろ過部材のろ過面積が狭くなるように調整してろ過することを特徴とする請求項１記載の有機性排水の処理方法。
【請求項３】
前記生物処理が硝化脱窒工程を含む膜分離活性汚泥処理であることを特徴とする請求項１または請求項２記載の有機性排水の処理方法。
【請求項４】
前記ろ過手段は複数に区画され、有機性排水を通水する区画数を増減することにより前記ろ過部材のろ過面積を調節することを特徴とする請求項１から３の何れかに記載の有機性排水の処理方法。
【請求項５】
固形分を含む有機性排水を通水するろ過部材を備えたろ過手段と、前記ろ過手段に通水した有機性排水を活性汚泥に混合して生物処理する生物処理装置を含む有機性排水処理設備であって、
前記ろ過手段は、有機性排水を通水する前記ろ過部材のろ過面積が調整可能に構成され、
前記ろ過手段を通過前または通過後の有機性排水中の窒素濃度に対する有機物濃度の比の値に応じて、前記ろ過手段のうち有機性排水を通水する前記ろ過部材のろ過面積を調節する制御部を備えていることを特徴とする有機性排水処理設備。
【請求項６】
前記制御部は、前記窒素濃度に対する有機物濃度の比の値が小さくなるほど、前記ろ過手段のうち有機性排水を通水する前記ろ過部材のろ過面積が狭くなるように調整することを特徴とする請求項５記載の有機性排水処理設備。
【請求項７】
前記生物処理装置が硝化脱窒処理を行なう膜分離活性汚泥処理装置であることを特徴とする請求項５または６記載の有機性排水処理設備。
【請求項８】
前記ろ過手段は複数に区画され、前記制御部は有機性排水を通水する区画数を増減することにより前記ろ過部材のろ過面積を調節することを特徴とする請求項５から７の何れかに記載の有機性排水処理設備。
【発明の詳細な説明】
【技術分野】
【０００１】
本発明は、有機性排水処理設備の運転方法及び有機性排水処理システムに関する。
【背景技術】
【０００２】
都市下水等の窒素を含む有機性排水を浄化するため、従来から硝化工程及び脱窒工程を含む高度処理プロセスが採用されている。硝化工程では有機性排水中のアンモニア態窒素が亜硝酸態窒素や硝酸態窒素に酸化され、脱窒工程では有機性排水中の有機物（ＢＯＤ）が微生物に消費される過程で硝酸態窒素が窒素ガスに還元される。
【０００３】
図６に示すように、汚水処理設備に流入した有機性排水は、複数面の最初沈殿池Ａで沈殿処理された後に生物処理槽Ｂに投入され、生物処理された後に最終沈殿池Ｃで上澄み水が取り出され、消毒等処理された後に放流される。
【０００４】
生物処理槽Ｂは、リンを放出する嫌気槽Ｂ１、脱窒処理する無酸素槽Ｂ２、硝化処理する硝化槽Ｂ３を備えている。硝化槽Ｂ３で微生物によりアンモニア態窒素が硝酸態窒素に酸化される硝化工程が実行され、無酸素槽Ｂ２に返送された汚泥に含まれる硝酸態窒素が微生物により窒素に還元される脱窒工程が実行される。また、リンは嫌気槽Ｂ１と硝化槽Ｂ３との間で活性汚泥が循環する中で微生物によるリンの放出と取り込みが繰り返され、最終沈殿池Ｃにおいて微生物に取り込まれた状態で余剰汚泥として排出される。
【０００５】
図５には、図６に示す活性汚泥法に必要な最終沈殿池に替えて膜分離装置Ｄを備えた膜分離活性汚泥法を採用する有機性排水処理設備が示されている。汚水処理設備に流入した有機性排水は、複数面の最初沈殿池Ａで沈殿処理され、し渣がスクリーン装置Ｓで除去された後に生物処理槽Ｂに投入され、生物処理された後に膜分離装置Ｄで固液分離された処理水が取り出され、必要に応じて消毒等処理された後に放流される。膜分離装置により完全に固液分離されるため、設置面積及び容量が大きい最終沈殿池が不要となり、設備の小型化が図られる。
【０００６】
何れの有機性排水処理設備でも、このような脱窒工程で行われる微生物反応つまり還元反応が効率的に行われるためには、化学量論的に窒素濃度に対する有機物濃度の比（ＢＯＤ／Ｎ）が２．８６以上必要とされている。
【０００７】
ＢＯＤ/Ｎ比が２．８６より小さい場合は完全脱窒が達成できず、窒素除去率が低下する。逆にＢＯＤ/Ｎ比が大きすぎる場合は硝化槽で微生物に供給すべき空気量が増えるため、曝気のためのブロワに要する動力コストが嵩む。例えば膜分離活性汚泥法を採用する場合に、膜分離装置の下部に備えた曝気装置に空気を供給するためのブロワを駆動するための消費電力が嵩む。
【０００８】
特許文献１には、原水負荷が大きく変動する場合でも安定した処理水を得ることを可能にするため、硝化槽における酸素消費速度の経時変化を自動測定して該測定結果に基づいてアンモニア性窒素濃度と硝化速度を検出する硝化活性度検出装置と、前記検出されたアンモニア性窒素濃度と硝化速度から前記脱窒槽における窒素負荷推定量をＬTN＝（Ｎe＋ＫN×Ｖn×１／Ｑ）×（１／ｆ）により演算する窒素負荷量演算手段と、廃水の有機物濃度の経時変化を自動測定する有機物濃度測定装置と、前記測定した有機物濃度から前記脱窒槽における有機物負荷推定量を演算する有機物負荷量演算手段と、前記窒素負荷推定量と前記有機物負荷推定量との比から、脱窒反応の水素供与体としての有機物量の過不足を判定する判定手段とを備え、前記判定手段の判定結果に基づいて前記窒素除去システムを運転制御することを特徴とする窒素除去システムの運転制御装置が記載されている。
【０００９】
ここに、ＬTN（ｍｇ-Ｎ／Ｌ）は窒素負荷推定量、ＫN（ｍｇ-Ｎ／Ｌ・ｈ）は硝化速度、Ｎe（ｍｇ／Ｌ）はアンモニア性窒素濃度、Ｑ（Ｌ／ｈ）は原水量、Ｖn（Ｌ）硝化槽容積、ｆは脱窒槽内の廃水のトータル窒素のうち硝化・脱窒反応に係わる窒素濃度の割合である。
【先行技術文献】
【特許文献】
【００１０】
【特許文献１】特許第４３０４４５３号公報
【発明の概要】
【発明が解決しようとする課題】
【００１１】
しかし、特許文献１に記載された窒素除去システムの運転制御装置では、ＢＯＤ／Ｎ比が低い、すなわち脱窒槽の有機物量が不足する場合は、最初沈殿池をバイパスさせ直接廃水を脱窒槽に流入させたり有機物の代替としてメタノールを脱窒槽に添加したりして、ＢＯＤ／Ｎ比を高め、脱窒可能量を増加させるような操作が必要になる。
【００１２】
そのようなバイパスラインを設ける場合には設備コストが増加し、メタノールを添加する場合にはランニングコストが増加するという問題があった。
【００１３】
本発明の目的は、上述した問題点に鑑み、ＢＯＤ/Ｎ比の変動に対応して有機性排水のＢＯＤを容易に調整可能な有機性排水処理設備の運転方法及び有機性排水処理システムを提供する点にある。
【課題を解決するための手段】
【００１４】
上述の目的を達成するため、本発明による有機性排水処理設備の運転方法の第一の特徴構成は、特許請求の範囲の書類の請求項１に記載した通り、固形分を含む有機性排水を、ろ過部材を備えたろ過手段に通した後に活性汚泥と混合して生物処理する有機性排水の処理方法であって、前記ろ過手段は、有機性排水を通水する前記ろ過部材のろ過面積が調整可能に構成され、前記ろ過手段を通過前または通過後の有機性排水中の窒素濃度に対する有機物濃度の比の値に応じて、前記ろ過手段のうち有機性排水を通水する前記ろ過部材のろ過面積を調節してろ過する点にある。
【００１５】
有機性排水流入量が略一定であれば、ろ過部材を備えたろ過手段に対して有機性排水を通水するろ過部材のろ過面積を絞ると、ろ過手段での流速が増大し、ろ過手段で捕捉されない固形分が増えることでＢＯＤ除去量が低下し、有機性排水を通水するろ過部材のろ過面積を拡大すると、ろ過手段での流速が低減し、ろ過手段で捕捉される固形分が増えることでＢＯＤ除去量が上昇する。つまり、有機性排水を通水するろ過部材のろ過面積を調整することにより後段の生物処理に供される有機性排水のＢＯＤを調整することができるようになる。有機性排水を通水するろ過部材のろ過面積を調節することによって、有機性排水中の窒素濃度に対する有機物濃度の比の値が窒素除去に好適な値に調整することができるようになる。尚、ＢＯＤ／Ｎ比はろ過層を通過前または通過後の何れの値でもよい。
【００１６】
同第二の特徴構成は、同請求項２に記載した通り、上述の第一の特徴構成に加えて、前記窒素濃度に対する有機物濃度の比の値が小さくなるほど、前記ろ過手段のうち有機性排水を通水する前記ろ過部材のろ過面積が狭くなるように調整してろ過する点にある。
【００１７】
窒素濃度に対する有機物濃度の比（ＢＯＤ／Ｎ）の値が小さい場合には、ろ過面積を狭くすることでろ過に要する時間が短くなり、有機性排水のＢＯＤの低下が抑制されるようになる。
【００１８】
後段の生物処理で効率的に脱窒素処理を行なうためには、有機性排水中の窒素濃度に対する有機物濃度の比（ＢＯＤ／Ｎ）の値を好ましい範囲に調整する必要がある。上述した構成によれば、ろ過部材のろ過面積を調整するという簡単な操作で、ＢＯＤ／Ｎ比を好ましい範囲に調整することができるようになる。
【００１９】
同第三の特徴構成は、同請求項３に記載した通り、上述の第一または第二の特徴構成に加えて、前記生物処理が硝化脱窒工程を含む膜分離活性汚泥処理である点にある。
【００２０】
同第四の特徴構成は、同請求項４に記載した通り、上述の第一から第三の何れかの特徴構成に加えて、前記ろ過手段は複数に区画され、有機性排水を通水する区画数を増減することにより前記ろ過部材のろ過面積を調節する点にある。
【００２１】
複数に区画されたろ過手段のうち何れの区画を、有機性排水を通水する区画に設定するかによって、容易にろ過部材のろ過面積を調整できるようになる。
【００２２】
本発明による有機性排水処理設備の第一の特徴構成は、同請求項５に記載した通り、固形分を含む有機性排水を通水するろ過部材を備えたろ過手段と、前記ろ過手段に通水した有機性排水を活性汚泥に混合して生物処理する生物処理装置を含む有機性排水処理設備であって、前記ろ過手段は、有機性排水を通水する前記ろ過部材のろ過面積が調整可能に構成され、前記ろ過手段を通過前または通過後の有機性排水中の窒素濃度に対する有機物濃度の比の値に応じて、前記ろ過手段のうち有機性排水を通水する前記ろ過部材のろ過面積を調節する制御部を備えている点にある。
【００２３】
制御部によってＢＯＤ／Ｎ比を指標にして有機性排水を通水するろ過部材のろ過面積が調節されるので、有機性排水中の窒素濃度に対する有機物濃度の比（ＢＯＤ／Ｎ）の値が窒素除去に好適な値に調整されるようになる。
【００２４】
同第二の特徴構成は、同請求項６に記載した通り、上述の第一の特徴構成に加えて、前記制御部は、前記窒素濃度に対する有機物濃度の比の値が小さくなるほど、前記ろ過手段のうち有機性排水を通水する前記ろ過部材のろ過面積が狭くなるように調整する点にある。
【００２５】
同第三の特徴構成は、同請求項７に記載した通り、上述の第一または第二の特徴構成に加えて、前記生物処理装置が硝化脱窒処理を行なう膜分離活性汚泥処理装置である点にある。
【００２６】
同第四の特徴構成は、同請求項８に記載した通り、上述の第一から第三の何れかの特徴構成に加えて、前記ろ過手段は複数に区画され、前記制御部は有機性排水を通水する区画数を増減することにより前記ろ過部材のろ過面積を調節する点にある。
【発明の効果】
【００２７】
以上説明した通り、本発明によれば、ＢＯＤ/Ｎ比の変動に対応して有機性排水のＢＯＤを容易に調整可能な有機性排水処理設備の運転方法及び有機性排水処理システムを提供することができるようになった。
【図面の簡単な説明】
【００２８】
【図１】（ａ）は本発明が適用される有機性排水処理設備の説明図で、全てのろ過手段を用いた状態の説明図、（ｂ）は半分のろ過手段を用いた状態の説明図、（ｃ）は１／４のろ過手段を用いた状態の説明図
【図２】本発明が適用されるろ過装置の説明図
【図３】本発明が適用されるろ過装置の説明図
【図４】ろ過装置を用いたＢＯＤ除去率とろ過速度の特性図
【図５】従来の活性汚泥法を採用した有機性排水処理設備の説明図
【図６】従来の膜分離活性汚泥法を採用した有機性排水処理設備の説明図
【発明を実施するための形態】
【００２９】
以下、本発明による有機性排水処理設備の運転方法及び有機性排水処理システムを説明する。
図１には、有機性排水処理設備１００の一例が示されている。当該有機性排水処理設備１００は下水等の有機性排水を生物処理により浄化して放流するための設備で、浮上性ろ材を備えたろ過層Ｆ（ろ過部材の一形態）が形成されたろ過装置１（ろ過手段の一形態）と、膜分離活性汚泥法を採用した生物処理装置１０と、コンピュータを用いた制御部３０を備えている。
【００３０】
生物処理装置１０は、生物処理槽Ｂと膜分離装置Ｄを備えている。生物処理槽Ｂは、微生物に取り込まれたリンが放出される嫌気槽Ｂ１、微生物により硝酸態窒素が窒素に還元されて放出される無酸素槽Ｂ２、曝気空気による好気性条件下で微生物によりアンモニア態窒素が硝酸態窒素に酸化される硝化槽Ｂ３を備えている。
【００３１】
硝化槽Ｂ３にはさらに膜分離装置Ｄが浸漬配置され、当該膜分離装置Ｄで活性汚泥と処理水に固液分離され、処理水は必要に応じて消毒等処理された後に河川に放流される。
【００３２】
図２及び図３に示すように、ろ過装置１（ろ過手段の一形態）は、仕切り壁Ｗ１，Ｗ２，Ｗ３によって仕切られた複数（４個）のろ過空間Ｒ１，Ｒ２，Ｒ３，Ｒ４が区画形成されている。
【００３３】
各ろ過空間Ｒ１，Ｒ２，Ｒ３，Ｒ４には、浮上性ろ材５が充填されたろ過層Ｆ（ろ過部材の一形態）が形成されている。ろ過層Ｆを構成する浮上性ろ材５は、ポリプロピレン、ポリスチレン、ポリエチレン等の発泡高分子で構成され、みかけ比重が０．１〜０.４の小片で、ろ過空間からの浮上流出を防止するメッシュＭがろ過空間に配置されている。
【００３４】
各ろ過空間Ｒ１，Ｒ２，Ｒ３，Ｒ４でろ過層Ｆの下部に案内された有機性排水は、上向きに流れてろ過層Ｆを通過し、仕切り壁Ｗ１，Ｗ２，Ｗ３より上方の共用処理水層６に流出して排水部７から生物処理装置１０に送水される。
【００３５】
有機性排水に含まれるし渣等の、ある程度の大きさの固形物はろ過層Ｆ（Ｆ１，Ｆ２，Ｆ３，Ｆ４）で捕捉され、細粒径の固形物４が有機性排水とともに生物処理装置１０に送られる。
【００３６】
ろ過層Ｆで捕捉された固形物がある程度の量になると、ろ過性能を回復するために各ろ過空間の下部に設けられた洗浄配管８から排水され、共用処理水層６のろ過水が洗浄水としてろ過層Ｆを下降流で通過し浮上性ろ材５が下方に拡散し、浮上性ろ材５に捕捉されているし渣等が除去される（図３（ｂ）参照）。
【００３７】
有機性排水を各ろ過空間Ｒ１，Ｒ２，Ｒ３，Ｒ４に案内する各案内流路２１，２２，２３，２４との間には有機性排水の流入を許容または阻止するゲートＧ１，Ｇ２，Ｇ３，Ｇ４が設けられ、各ろ過空間Ｒ１，Ｒ２，Ｒ３，Ｒ４を選択的にろ過に使用することができるように構成されている。
【００３８】
例えば、ろ過空間Ｒ１，Ｒ２，Ｒ３，Ｒ４に対応する全てのゲートＧ１、Ｇ２，Ｇ３，Ｇ４を開放すると、各ろ過層単独のろ過面積の４倍のろ過面積が確保でき、そのうちの二つのゲートを開放すると各ろ過層単独のろ過面積の２倍のろ過面積が確保できる。つまり、ろ過層Ｆ（Ｆ１，Ｆ２，Ｆ３，Ｆ４）は有機性排水を通水するろ過面積が調整可能に構成されている。
【００３９】
ろ過装置１の出口部には、ろ過された有機性排水の有機物濃度を計測するＢＯＤ計３、及び全窒素濃度を計測する窒素濃度計４が設けられ、それらの値が制御部３０に入力されている。
【００４０】
制御部３０は、入力された有機物濃度及び全窒素濃度に基づいて有機性排水中の窒素濃度に対する有機物濃度の比（ＢＯＤ／Ｎ）を算出し、その値に応じてろ過層のうち有機性排水を通水するろ過面積を調節するように構成されている。
【００４１】
制御部３０は、ＢＯＤ／Ｎ比が効率的な脱窒処理に必要な２．８６以上の所定範囲、例えば３〜５の範囲に入るように、各ゲートＧ１，Ｇ２，Ｇ３，Ｇ４を開閉制御する。各ゲートには電動モータによる自動開閉機構が設けられ、何れのゲートを開放して何れのゲートを閉塞するかを制御部３０により操作可能に構成されている。
【００４２】
有機性排水の流入量が略一定であれば、浮上性ろ材５を備えたろ過層Ｆ（ろ過部材の一形態）に対して有機性排水を通水するろ過面積を絞ると、ろ過層下内での流速が増大し、ろ過層下で捕捉されない固形分が増えることでＢＯＤ除去量が低下し、有機性排水を通水するろ過面積を拡大すると、ろ過層下内での流速が低減し、ろ過層下で捕捉される固形分が増えることでＢＯＤ除去量が上昇する。つまり、有機性排水を通水するろ過面積を調整することにより後段の生物処理に供される有機性排水のＢＯＤを調整することができるようになる。
【００４３】
図４には、ＢＯＤの濃度が約１００ｍｇ／Ｌの原水に対して当該ろ過装置１によるろ過速度と原水からのＢＯＤ除去率の特性が示されている。ろ過速度を上げるほどＢＯＤ除去率低下することが示されている。すなわち、ろ過面積を狭くするとろ過速度が上昇してＢＯＤ除去率が低下し、ろ過面積を広くするとろ過速度が下降してＢＯＤ除去率が上昇する。
【００４４】
ＢＯＤ/Ｎ比が２．８６より小さい場合は完全脱窒が達成できず、窒素除去率が低下する。そのため、ろ過面積を狭くしてろ過層ＦによるＢＯＤ除去率を低下してろ過された有機性排水のＢＯＤの低下を抑制する。
【００４５】
逆にＢＯＤ/Ｎ比が大きすぎる場合は硝化槽で微生物に供給すべき空気量が増えるため、曝気のためのブロワに要する動力コストが嵩む。そのため、ろ過面積を広くしてろ過層ＦによるＢＯＤ除去率を上げてろ過された有機性排水のＢＯＤを低下させる。
【００４６】
図１（ａ）には全てのろ過層Ｆ１，Ｆ２，Ｆ３，Ｆ４を使用する場合の例が示され、図１（ｂ）には半分のろ過層を使用する場合が示され、図１（ｃ）には一つのろ過層が使用される場合が示されている。
【００４７】
制御部３０によってＢＯＤ／Ｎ比を指標にして有機性排水を通水するろ過面積が調節されるので、有機性排水中の窒素濃度に対する有機物濃度の比（ＢＯＤ／Ｎ）の値が窒素除去に好適な値に調整されるようになる。
【００４８】
つまり、制御部３０は、窒素濃度に対する有機物濃度の比（ＢＯＤ／Ｎ）の値が小さくなると、ろ過層Ｆのうち有機性排水を通水するろ過面積が狭くなるように調整するように構成されている。
【００４９】
本実施形態では、生物処理装置が脱リン及び硝化脱窒処理を行なう膜分離活性汚泥処理装置である場合を説明しているが、本発明は脱リン処理を行なう嫌気槽Ｂ１を備えていない膜分離活性汚泥処理装置であっても適用できる。また、膜分離装置を備えず、最終沈殿池で固液分離する活性汚泥処理装置であっても硝化脱窒処理を行なう生物処理装置であれば適用可能である。
【００５０】
制御部３０は、複数に区画されたろ過層Ｆ１，Ｆ２，Ｆ３，Ｆ４のうち少なくとも１以上の区画の通水が停止状態である場合に、停止状態の区画または通水状態の区画をローテーションして切り替えるように制御する。
【００５１】
複数に区画されたろ過層Ｆ１，Ｆ２，Ｆ３，Ｆ４のうち特定の区画に常時有機性排水を通水すると、専らその区画に夾雑物等が蓄積され、その区画に対して頻繁に洗浄工程を実行しなければならず、ろ過層全体として稼働率が低下する虞がある。
【００５２】
そのような場合でも、停止状態の区画または通水状態の区画をローテーションして切り替えることにより、停止状態の区画に対して洗浄工程を実行している間に他の区画でろ過工程を実行することができ、ろ過層全体として稼働率を上げることができるようになる。
【００５３】
例えば、四つのろ過層Ｆ１，Ｆ２，Ｆ３，Ｆ４の内、三つをろ過に使用し、一つを停止する場合、停止するろ過層を順番に切り替えて、停止中のろ過層を洗浄するように構成すればよい。
【００５４】
尚、ＢＯＤ／Ｎ比はろ過層を通過前または通過後の何れの値に基づくものであってもよい。従って、ＢＯＤ計３及び窒素濃度計４が高速ろ過装置１の入り口側に配置されていてもよい。
【００５５】
以上説明した通り、本発明による有機性排水処理設備の運転方法は、固形分を含む有機性排水を、浮上性ろ材を備えたろ過層に通した後に活性汚泥と混合して生物処理する有機性排水の処理方法であって、ろ過層は、有機性排水を通水するろ過面積が調整可能に構成され、ろ過層を通過前または通過後の有機性排水中の窒素濃度に対する有機物濃度の比（ＢＯＤ／Ｎ）の値に応じて、ろ過層のうち有機性排水を通水するろ過面積を調節してろ過するように構成されている。
【００５６】
上述した実施形態ではろ過手段の一形態としてのろ過装置１が浮上性ろ材を使用したものであったが、ろ材に沈降性のものを使用してろ過層を形成し、下降流でろ過運転、上向流で洗浄運転を行うろ過装置であってもよい。さらには、ろ過手段として、無端軌道のろ布やメッシュをろ過部材として備えるろ過装置を使用してもよく、この場合、有機性排水を通水させる装置の台数を調整することで、通水するろ過面積を調節すればよい。
【００５７】
上述した実施形態では、ろ過装置１が四つのろ過空間Ｒ１，Ｒ２，Ｒ３，Ｒ４に区画形成された例を説明したが、ろ過空間の数は複数であればよく、特にその数が限定されるものではない。
【００５８】
上述した実施形態では制御部３０が各ゲートＧ１，Ｇ２，Ｇ３，Ｇ４の開閉制御を自動で行なう例を説明したが、各ゲートＧ１，Ｇ２，Ｇ３，Ｇ４の開閉情報を表示部に表示し、その表示に従って作業者が手動操作で各ゲートＧ１，Ｇ２，Ｇ３，Ｇ４を開閉するように構成してもよい。
【００５９】
上述した実施形態ではＢＯＤ計３及び窒素濃度計４によって計測された濃度信号が制御部３０に直接入力される構成を説明したが、作業者によりＢＯＤ計３及び窒素濃度計４によって計測された濃度データが入力装置を介して制御部３０に入力されるように構成してもよい。
【００６０】
上述した実施形態では、有機物濃度をＢＯＤ計で計測しているが、ＢＯＤと相関のある指標であれば、ＴＯＣ、ＣＯＤ、濁度、吸光度等を計測してもよい。この場合、予め求めたＢＯＤとの相関図に基づいて、ＢＯＤ／Ｎ比を調整すればよい。
【００６１】
上述した実施形態は本発明の一態様であり、該記載により本発明が限定されるものではなく、各部の具体的構成は本発明の作用効果が奏される範囲で適宜変更設計可能であることはいうまでもない。
【符号の説明】
【００６２】
１：ろ過装置
３：ＢＯＤ計
４：窒素濃度計
５：浮上性ろ材
８：洗浄配管
９：固形物
１０：生物処理装置
２１，２２，２３，２４：案内流路
３０：制御部
１００：有機性排水処理設備
Ｂ：生物処理槽
Ｂ１：嫌気槽
Ｂ２：無酸素槽
Ｂ３：硝化槽
Ｄ：膜分離装置
Ｆ，Ｆ１，Ｆ２，Ｆ３，Ｆ４：ろ過層
Ｍ：メッシュ
Ｒ１，Ｒ２，Ｒ３，Ｒ４：ろ過空間
Ｇ１，Ｇ２，Ｇ３，Ｇ４：ゲート
Ｗ１，Ｗ２，Ｗ３：仕切り壁
【図１】
2017113723.tif 000003
【図２】
2017113723.tif 000004
【図３】
2017113723.tif 000005
【図４】
2017113723.tif 000006
【図５】
2017113723.tif 000007
【図６】
2017113723.tif 000008